(57)【要約】  【課題】本発明の目的は、LED蛍光灯ソケットにロック機能を与えて、ソケットの接続ホールに差し込まれるLED蛍光灯の接続ピンが離脱しないようにする、ロック装置を備えた照明灯ソケットを提供することにある。  【解決手段】本発明に係るロック装置を備えた照明灯ソケットは、前面ケースと前記前面ケースの背面に結合される後面ケースから構成されて、前面開口部と側面開口部が形成される本体ケースと、前記前面開口部にスライド可能に収容される支持片と、前記支持片の背面と前記後面ケースの前面の間に設けられる弾性部材と、前記側面開口部に設けられ、前記本体ケースの周面から選択的に突出されて、前記支持片のスライド移動を選択的に拘束又は解除するためのロック片と、を含むことを特徴とする。【選択図】図２
2014099399.tif 000002
【特許請求の範囲】
【請求項１】
前面ケースと前記前面ケースの背面に結合される後面ケースから構成されて、前面開口部と側面開口部が形成される本体ケースと、
前記前面開口部にスライド可能に収容される支持片と、
前記支持片の背面と前記後面ケースの前面の間に設けられる弾性部材と、
前記側面開口部に設けられ、前記本体ケースの周面から選択的に突き出して、前記支持片のスライド移動を選択的に拘束又は解除するためのロック片と、を含むことを特徴とするロック装置を備えた照明灯ソケット。
【請求項２】
前記ロック片の一端にヒンジが形成され、
前記ロック片の他端には、前記ヒンジを中心とする回転方向に沿って互いに離隔される内側係止顎部と外側係止顎部が、前記側面開口部の端を挟んで各々形成されることを特徴とする請求項１に記載のロック装置を備えた照明灯ソケット。
【請求項３】
前記ロック片には、前記内側係止顎部から延びて、前記側面開口部の内側方向へ突出面が突設され、
前記支持片には、前記突出面に選択的に拘束される突出リブが形成されたことを特徴とする請求項２に記載のロック装置を備えた照明灯ソケット。
【請求項４】
前記側面開口部の一端には、前記ロック片のヒンジが収容される収容溝が形成されたことを特徴とする請求項２に記載のロック装置を備えた照明灯ソケット。
【請求項５】
前記内側係止顎部及び外側係止顎部の間には、前記側面開口部の他端に面接触する、円弧状の接触面が形成されたことを特徴とする請求項２に記載のロック装置を備えた照明灯ソケット。
【請求項６】
前記ロック片の側面部と前記側面開口部の互いに向かい合う対応面には、前記ロック片の回転をガイドするガイド部が形成されたことを特徴とする請求項１に記載のロック装置を備えた照明灯ソケット。
【請求項７】
前記ガイド部は、
前記ロック片の回転区間に沿って、ロック片の側面部又は側面開口部の側面部のいずれかに形成されるガイド溝と、
前記ガイド溝に対向する前記側面開口部の側面部又はロック片の側面部のいずれかに形成され、前記ガイド溝に沿ってガイドするガイド突起から構成されたことを特徴とする請求項６に記載のロック装置を備えた照明灯ソケット。
【請求項８】
前記ガイド溝の両端には、前記ガイド溝よりさらに深く凹んで、前記ガイド突起が選択的に挿入される固定溝が形成されたことを特徴とする請求項７に記載のロック装置を備えた照明灯ソケット。
【請求項９】
前記ガイド突起と固定溝は、互いに接触する面が半円状の断面を持つように形成されたことを特徴とする請求項８に記載のロック装置を備えた照明灯ソケット。
【発明の詳細な説明】
【技術分野】
【０００１】
本発明はロック装置を備えた照明灯ソケットに関するもので、さらに詳しくは、蛍光灯ソケットにロック機能を与える、ロック装置を備えた照明灯ソケットに関する。
【背景技術】
【０００２】
一般的に、照明灯は電源を供給されて、電気エネルギーを光エネルギーに変換することで、暗い所でも使用者が物体を識別できるようにする装置である。
【０００３】
現在、使用されている照明灯には白熱電球、蛍光灯及びLED等がある。
【０００４】
通常、家庭やオフィスを始めとする多様な場所では、照明器具として主に蛍光灯及び白熱灯が広く用いられていて、特に蛍光灯は白熱灯に比べ、まぶしさが少ないながら、発光効率が高く、寿命が長いという長所があることから、照明器具として最も広く用いられている。
【０００５】
前記蛍光灯は、棒状になっている真空状態のガラス管内部に、少量の水銀蒸気及びアルゴンガスを入れて密閉させた後、両端部を介して電圧を印加し、気体の放電によって光を発生させるように構成される。
【０００６】
LED照明器具は使用用途によって光の強弱を調節でき、省エネが可能で、使用者の視力を保護でき、半永久的な寿命を有し、周りの温度変化にも影響を及ぼさない先端の電球という長所を持つことから、既存の照明装置である蛍光灯、白熱灯、ナトリウム灯及び水銀灯を始めとする多様な電灯を代替できることで注目されていて、多数のLEDを利用して既存の蛍光灯形状に製作したLED蛍光灯も市販されている。
【０００７】
このようなLED蛍光灯を用いるには、LED蛍光灯を支持して電源を供給できるソケットと、光を反射させる反射笠及びコンバーター等が備えられている蛍光灯器具を必要とする。
【０００８】
既存の蛍光灯器具は、本体ケースの両方にソケットが固定され、固定されたソケット間の長さに合うLED蛍光灯が差し込まれることにより、LED蛍光灯を支持し、電源を供給して発光するようにする。
【０００９】
この際、LED蛍光灯の接続ピンをソケットに接続して固定する方式には色々なものがあって、一般的な固定型方式は、図１に示すように、ソケット(10)内部にバネ(図示せず)を備えさせ、前記バネによってソケット(10)の支持片(11)が一定間隔で遊動されるようにして、蛍光灯(20)の一側の接続ピン(21)を支持片(11)の接続ホール(12)に差し込んだままで前記支持片(11)を押し、蛍光灯(20)の両側の接続ピン(21)の全部を、支持片(11)の接続ホール(12)に接続して固定する。
【００１０】
ところで、上記の従来技術によるLED蛍光灯は、LED発光時、放熱のために放熱板をPCB基板の背面に付着して用いるので、一般の蛍光灯より重くて、一般の蛍光灯が設けられるソケット(10)に設置する場合、LED蛍光灯の重さによって、振動のような外部からの小さな衝撃が発生すると、ソケット(10)からLED蛍光灯が離脱する恐れがある。
【００１１】
さらに、LED蛍光灯は各製品ごとにLED蛍光灯に入力される電圧差によって、消費者が交替する時、安全上の問題が発生する可能性がある。
【先行技術文献】
【特許文献】
【００１２】
【特許文献１】韓民公開特許第２０１２−００５７０８３号公報
【発明の概要】
【発明が解決しようとする課題】
【００１３】
したがって、本発明は上記のような問題点を解決するために提案されたものであって、その目的とするところは、LED蛍光灯のソケットにロック機能を与えて、ソケットの接続ホールに差し込まれるLED蛍光灯の接続ピンが離脱しないようにすることにある。
【課題を解決するための手段】
【００１４】
上記の目的を達成するために、本発明に係るロック装置を備えた照明灯ソケットは、前面ケースと前記前面ケースの背面に結合される後面ケースから構成されて、前面開口部と側面開口部が形成される本体ケースと、前記前面開口部にスライド可能に収容される支持片と、前記支持片の背面と前記後面ケースの前面の間に設けられる弾性部材と、前記側面開口部に設けられ、前記本体ケースの周面から選択的に突出されて、前記支持片のスライド移動を選択的に拘束又は解除するためのロック片と、を含むことを特徴とする。
【００１５】
前記ロック片の一端にヒンジが形成され、前記ロック片の他端には、前記ヒンジを中心とした回転方向に沿って互いに離隔される内側係止顎部と外側係止顎部が、前記側面開口部の端を挟んで各々形成されることを特徴とする。
【００１６】
前記ロック片には、前記内側係止顎部から延びて、前記側面開口部の内側方向へ突出面が突出形成され、前記支持片には、前記突出面には選択的に拘束される突出リブが形成されたことを特徴とする。
【００１７】
前記側面開口部の一端には、前記ロック片のヒンジが収容される収容溝が形成されたことを特徴とする。
【００１８】
前記内側係止顎部及び外側係止顎部の間には、前記側面開口部の他端に面接触する、円弧状の接触面が形成されたことを特徴とする。
【００１９】
前記ロック片の側面部と前記側面開口部の互いに向かい合う対応面には、前記ロック片の回転をガイドするガイド部が形成されたことを特徴とする。
【００２０】
前記ガイド部は、前記ロック片の回転区間を沿って、ロック片の側面部又は側面開口部の側面部のいずれかに形成されるガイド溝と、前記ガイド溝に対向する前記側面開口部の側面部又はロック片の側面部のいずれかに形成され、前記ガイド溝を沿ってガイドされるガイド突起から構成されたことを特徴とする。
【００２１】
前記ガイド溝の両端には、前記ガイド溝よりさらに深く凹んで、前記ガイド突起の選択的に挿入される固定溝が形成されたことを特徴とする。
【００２２】
前記ガイド突起と固定溝は、互いに接触する面が半円状の断面を持つように形成されたことを特徴とする。
【発明の効果】
【００２３】
上述した構成の本発明に係るロック装置を備えた照明灯ソケットによると、LED蛍光灯の接続ピンがソケットの接続ホールに差し込まれたままで、前記ソケットの支持片が遊動せず、固定されることができるようにすることで、振動のような外部からの小さな衝撃にも、LED蛍光灯がソケットから離脱しない効果がある。
【００２４】
さらに、消費者が交替する場合に発生できる安全上の問題を防ぐ効果がある。
【図面の簡単な説明】
【００２５】
【図１】一般の照明灯の設置状態を示す斜視図である。
【図２】本発明に係る照明灯ソケットを示す斜視図である。
【図３】本発明に係る照明灯ソケットを示す分解斜視図である。
【図４】本発明に係る照明灯ソケットの内部構造を示す斜視図である。
【図５】本発明に係るロック片を示す斜視図である。
【図６】図５のロック片を示す側面図である。
【図７】本発明に係る照明灯ソケットのロック状態を示す図面である。
【図８】本発明に係る照明灯ソケットのロック解除状態を示す図面である。
【発明を実施するための形態】
【００２６】
以下、添付図面を参照して、本発明の構成について詳しく説明すると、次のようである。
【００２７】
図２乃至図８に示すように、本発明に係る照明灯ソケット、特にLED蛍光灯ソケットは、前面ケース(110)と前記前面ケース(110)の背面に結合される後面ケース(120)から構成された本体ケース(100)と、LED蛍光灯の接続ピンが挿入される接続ホール(210)が形成され、前記前面ケース(110)の前面開口部(111)に収容されてスライド可能に収容される支持片(200)と、前記支持片(200)の背面と前記後面ケース(120)の前面の間に設けられ、前記支持片(200)を弾性移動させる圧縮バネのような弾性部材(300)と、を含む。
【００２８】
前記前面ケース(110)は、前記前面開口部(111)のみならず、側面に後述のロック片(400)の設けられる側面開口部(112)が形成されている。
【００２９】
前記前面ケース(110)の前面開口部(111)に収容される前記支持片(200)は、図４に示すように、その背面に、ワイヤー(W)につながる端子(T)の固定される端子固定溝部(220)が形成されていて、周面に沿って不連続的に突出リブ(230)が後面ケース(120)に向けて突出形成されていて、前記支持片(200)が前記前面開口部(111)の外側へ離脱されないように、放射方向に向けてストッパー(240)が延長形成されている。
【００３０】
前記支持片(200)は、スライド部(500)を介して前記前面開口部(111)に収容され、後面ケース(120)に向けてスライド可能に形成されている。
【００３１】
ここで、前記スライド部(500)は、前記突出リブ(230)の外周面から突出形成される少なくとも一つのスライド突起(510)と、前記スライド突起(510)に対応する、前面開口部(111)の周面に形成され、前記スライド突起(510)が挿入されてガイドされるスライド溝(520)から構成される。
【００３２】
この際、前記スライド突起(510)とスライド溝(520)は、互いに接触する面が半円状の断面を持つように設けられ、前記スライド溝(520)に対して、スライド突起(510)が容易に結合及び分離可能である。
【００３３】
もちろん、これと逆に、前記スライド部(500)は、前記突出リブ(230)に形成されるスライド溝(520)と、前記前面開口部(111)の周面に形成されるスライド突起(510)から構成されることもある。
【００３４】
したがって、前記支持片(200)はスライド部(500)を介して、本体ケース(100)の内側で前記弾性部材(300)の緩衝作用によって、前後方向へスライド可能になる。
【００３５】
一方、図５及び図６に示すように、前記本体ケース(100)、特に前面ケース(110)の側面開口部(112)には、ヒンジ(410)によって一定間隔の回転区間に沿って回転し、前記本体ケース(100)の周面から選択的に突出されて、前記支持片(200)のスライド移動を選択的に拘束又は解除するロック片(400)が設けられている。
【００３６】
これと対応する前記側面開口部(112)の一端には、前記ヒンジ(410)が挿入されて収容される収容溝(113)が形成されている。
【００３７】
前記ロック片(400)は、一端にヒンジ(410)が形成され、前記ヒンジ(410)の向う、すなわち、ロック片(400)の他端には、前記ヒンジ(410)を中心とする回転方向に沿って互いに離隔される一対の係止顎(420)が、前記側面開口部(112)の端を挟んで各々形成され、前記ロック片(400)の回転区間を制限することになる。
【００３８】
すなわち、前記係止顎(420)は、前記ロック片(400)を前記本体ケース(100)から外側方向に引っ張って、ヒンジ(410)を中心として回転させた場合、側面開口部(112)の端に係止される内側係止顎部(421)と、前記ロック片(400)を前記本体ケース(100)の外側から内側方向へ押し、ヒンジ(410)を中心として回転させた場合、側面開口部(112)の端に係止される外側係止顎部(422)で分けることができる。
【００３９】
また、前記ロック片(400)の内側係止顎部(421)と外側係止顎部(422)の間には、前記側面開口部(112)の他端に面接触する円弧状の接触面(430)が形成されている。
【００４０】
このように、前記ロック片(400)がヒンジ(410)を中心にして回転する時に、前記側面開口部(112)の端に密着しながら回転する接触面(430)によって、ロック片(400)が滑りにくくなる。
【００４１】
一方、前記ロック片(400)と前記側面開口部(112)の互いに向かい合う対応面には、前記ロック片(400)の回転をガイドするガイド部(600)が形成されている。
【００４２】
ここで、前記ガイド部(600)は、前記ロック片(400)の回転区間に沿って前記ロック片(400)の側面部に形成されるガイド溝(610)と、前記ガイド溝(610)に対向する前記側面開口部(112)の側面部に形成され、前記ガイド溝(610)に沿ってガイドされるガイド突起(620)から構成される。
【００４３】
この際、前記ガイド溝(610)の両端には、前記ガイド溝(610)よりさらに深く凹んで、前記ガイド突起(620)の選択的に挿入される固定溝(630)が形成されている。
【００４４】
前記ガイド突起(620)と固定溝(630)は、スライド部(500)と同様に、互いに接触する面が半円状の断面を持つように形成され、前記固定溝(630)に対してガイド突起(620)が容易に結合及び分離可能である。
【００４５】
もちろん、これと逆に、前記ガイド部(600)は、前記ロック片(400)の側面部に形成されるガイド突起(620)と、前記側面開口部(112)の側面部に形成されるガイド溝(610)で構成されることもある。 
【００４６】
そして、前記ロック片(400)の内側係止顎部(421)から延びて、前記側面開口部(112)の内側方向へ突出形成される突出面(440)が形成されている。
【００４７】
前記ロック片(400)の突出面(440)は、前記支持片(200)が前面ケース(110)に対して後方へスライド移動しないように、支持片(200)に設けられた突出リブ(230)を選択的に拘束することになる。
【００４８】
すなわち、図7に示すように、前記ロック片(400)が本体ケース(100)に対して外部へ突き出したままで、ヒンジ(410)を中心として内側方向へ回転する場合、前記ロック片(400)の突出面(440)が前記突出リブ(230)の先端に触れ合うことになって、前記支持片(200)が拘束されることから、スライド移動が不可能になる。
【００４９】
これと逆に、図８に示すように、前記ロック片(400)がヒンジ(410)を中心として本体ケース(100)から外側方向へ回転する場合、前記ロック片(400)の突出面(440)が前記突出リブ(230)の先端から離隔され、接触しないようになることから、前記支持片(200)がスライド移動可能な状態になる。
【００５０】
一方、前記前面ケース(110)に設けられるロック片(400)は後面ケース(120)にも設置可能で、前記ロック片(400)の設置位置も、前記突出リブ(230)の位置する本体ケース(100)の周面の多くの位置に設置されても良い。
【００５１】
そして、前記前面ケース(110)と後面ケース(120)は、前記前面ケース(110)の背面と後面ケース(120)の前面に形成される突起(710)と溝(720)等の結合部(700)を介して、一つに結合可能である。
【００５２】
本発明によると、前記のように構成される照明灯ソケット用ロック装置をLED蛍光灯ソケットに適用したが、一般の蛍光灯ソケットにも適用可能である。
【００５３】
したがって、このように構成される本発明に係るロック装置を備えた照明灯ソケットは、ロック片(400)が本体ケース(100)の周面から内側に進入するか、若しくは、外側に突き出して支持片(200)の移動を選択的に拘束することで、振動のような外部からの小さな衝撃にも、LED蛍光灯がソケットから離脱しない長所を持っている。
【００５４】
以上、本発明の好ましい実施例に対して説明したが、本発明は上述の実施例に限定されず、特許請求範囲に記載された本発明の要旨を外れない限り、本発明が属する技術分野において、通常の知識を有する者による多様な変形実施例も、本発明の特許請求範囲内にあることになる。
【符号の説明】
【００５５】
100 : 本体ケース        110 : 前面ケース
111 : 前面開口部        112 : 側面開口部
113 : 収容溝            120 : 後面ケース
200 : 支持片            210 : 接続ホール
220 : 端子固定溝部      230 : 突出リブ
240 : ストッパー        300 : 弾性部材
400 : ロック片          410 : ヒンジ
420 : 係止顎            421 : 内側係止顎部
422 : 外側係止顎部      430 :  接触面
440 : 突出面            500 : スライド部
510 : スライド突起      520 :  スライド溝
600 : ガイド部          610 : ガイド溝
620 : ガイド突起        630 : 固定溝
700 : 結合部            710 : 突起
720 : 溝
【図１】
2014099399.tif 000003
【図２】
2014099399.tif 000004
【図３】
2014099399.tif 000005
【図４】
2014099399.tif 000006
【図５】
2014099399.tif 000007
【図６】
2014099399.tif 000008
【図７】
2014099399.tif 000009
【図８】
2014099399.tif 000010